(57)【要約】【課題】一つの通信部で複数のプロトコルを切り替えて通信させ、複数の送信先を切り替えて通信させる。【解決手段】地震振動を検出する振動検出部１１と、この振動検出部１１により検出された振動データを予め記憶部１３２に記憶された設定プログラムに基づいて処理するデータ処理部１３と、このデータ処理部１３に通信接続された通信部１４と、を有する地震計１と、この地震計に通信接続可能な複数の管理端末２と、通信部を介して管理端末と通信接続を行うときに、複数の管理端末のうち、所望の管理端末に接続を切り替える接続切替手段１３１，１３２ｂと、を設けた。【選択図】図１
2005351844.tif 000002
【特許請求の範囲】
【請求項１】
地震振動を検出する振動検出部と、
この振動検出部により検出された振動データを予め記憶部に記憶された設定プログラムに基づいて処理するデータ処理部と、
このデータ処理部に通信接続され、複数のプロトコルに対応可能な通信部と、
この通信部を介して外部端末と通信接続を行うときに、複数のプロトコルのうち所望のプロトコルに切り替えるプロトコル切替手段と、
を備えることを特徴とする地震計。
【請求項２】
前記プロトコル切替手段は、
前記振動検出部が所定値以上の振動データを検出したときに、前記データ処理部によって処理された当該振動データに応じたプロトコルに切り替えることを特徴とする請求項１に記載の地震計。
【請求項３】
地震振動を検出する振動検出部と、この振動検出部により検出された振動データを予め記憶部に記憶された設定プログラムに基づいて処理するデータ処理部と、このデータ処理部に通信接続された通信部と、を有する地震計と、
この地震計に通信接続可能な複数の管理端末と、
前記通信部を介して前記管理端末と通信接続を行うときに、複数の管理端末のうち、所望の管理端末に接続を切り替える接続切替手段と、
を備えることを特徴とする地震計管理システム。
【請求項４】
前記記憶部は、管理端末毎に受信すべきデータを対応付けて記憶する受信データテーブルを有し、
前記接続切替手段は、
前記受信データテーブルに基づいて、前記通信部が送信すべきデータに応じた管理端末に通信接続を切り替えることを特徴とする請求項３に記載の地震計管理システム。
【発明の詳細な説明】
【技術分野】
【０００１】
本発明は、地震計及び地震計管理システムに関する。
【背景技術】
【０００２】
従来から、それぞれ異なる地点に複数の地震計を設置し、各地震計に管理端末を通信接続し、各地震計により得られた地震情報データ等を用いて、地震観測者等による地震の解析、システム管理者等による各地震計測装置の設定等が行われている（例えば、特許文献１参照。）。
地震計は、管理端末と通信接続するための複数の通信部を備えており、各通信部はデータの種類によって異なるプロトコルで通信が行われる場合がある。
ここで、通信部が複数備えられているのは、複数のデータを一つの通信部で通信すると、あるデータを送受信している間は他のデータは送受信できないため、地震波のような緊急を要するデータを検出しても早急に管理端末に送信できないという問題があるからである。
【特許文献１】特開２００２−３６７０５７号公報
【発明の開示】
【発明が解決しようとする課題】
【０００３】
しかし、通信するデータ毎に通信部を設けると、地震計及び管理端末が複雑になり、通信管理が煩雑になるほか、管理端末への通信回線が複数のデータで混み合うため、通信速度の低下を招くという問題があった。
【０００４】
そこで、本発明は、上記課題を解決するためになされたものであり、一つの通信部で複数のプロトコルを切り替えて通信することができる地震計及び一つの通信部で複数の送信先を切り替えて通信することができる地震計管理システムを提供することを目的とする。
【課題を解決するための手段】
【０００５】
上記課題を解決するため、請求項１に記載の発明は、地震計であって、地震振動を検出する振動検出部と、この振動検出部により検出された振動データを予め記憶部に記憶された設定プログラムに基づいて処理するデータ処理部と、このデータ処理部に通信接続され、複数のプロトコルに対応可能な通信部と、この通信部を介して外部端末と通信接続を行うときに、複数のプロトコルのうち所望のプロトコルに切り替えるプロトコル切替手段と、を備えることを特徴とする。
【０００６】
請求項２に記載の発明は、請求項１に記載の地震計において、前記プロトコル切替手段は、前記振動検出部が所定値以上の振動データを検出したときに、前記データ処理部によって処理された当該振動データに応じたプロトコルに切り替えることを特徴とする。
ここで、所定値以上の振動データとは、管理者が予め設定しておいた振動データの大きさをいい、例えば、換算すれば震度３以上の地震となる振動データ値（加速度値）である。
【０００７】
請求項３に記載の発明は、地震計管理システムであって、地震振動を検出する振動検出部と、この振動検出部により検出された振動データを予め記憶部に記憶された設定プログラムに基づいて処理するデータ処理部と、このデータ処理部に通信接続された通信部と、を有する地震計と、この地震計に通信接続可能な複数の管理端末と、前記通信部を介して前記管理端末と通信接続を行うときに、複数の管理端末のうち、所望の管理端末に接続を切り替える接続切替手段と、を備えることを特徴とする。
【０００８】
請求項４に記載の発明は、請求項３に記載の地震計管理システムにおいて、前記記憶部は、管理端末毎に受信すべきデータを対応付けて記憶する受信データテーブルを有し、前記接続切替手段は、前記受信データテーブルに基づいて、前記通信部が送信すべきデータに応じた管理端末に切り替えることを特徴とする。
【発明の効果】
【０００９】
請求項１に記載の発明によれば、振動検出部が地震振動を検出すると、データ処理部は、振動検出部により検出された振動データを予め記憶部に記憶された設定プログラムに基づいて処理する。データ処理部により処理された振動データは、通信部を介して外部端末に送信される。ここで、通信部と外部端末の通信接続の際に、プロトコル切替手段は、複数のプロトコルのうち所望のプロトコルに切り替える。
これにより、データ通信に際し、複数のプロトコルが必要な場合であっても、プロトコル切替手段が適宜通信に必要なプロトコルに切り替えることができるので、一つの通信部で複数のプロトコルを切り替えて通信することができ、プロトコル毎に通信部を設ける必要がなくなる。よって、地震計の小型化、通信速度の向上を図ることができる。
【００１０】
請求項２に記載の発明によれば、大きな地震が発生したときのように、振動検出部が所定値以上の振動データを検出した場合には、プロトコル切替手段が振動データに応じたプロトコルに切り替えるので、通信部が他のデータを送信している場合であっても所定値以上の振動データを優先的に送信することができる。
【００１１】
請求項３に記載の発明によれば、振動検出部が地震振動を検出すると、データ処理部は、振動検出部により検出された振動データを予め記憶部に記憶された設定プログラムに基づいて処理する。データ処理部により処理された振動データは、通信部を介して管理端末に送信される。ここで、接続切替手段は、通信部を介して管理端末と通信接続を行うときに、複数の管理端末のうち、所望の管理端末に接続を切り替える。
これにより、複数の管理端末とデータ通信を行う必要があっても、一つの通信部で複数の送信先を切り替えて通信することができ、管理端末毎に通信部を設ける必要がなくなる。よって、地震計の小型化を図ることができる。
【００１２】
請求項４に記載の発明によれば、接続切替手段は、管理端末毎に各管理端末が受信すべきデータを対応付けて記憶する受信データテーブルに基づいて、送信すべきデータに応じた管理端末に切り替える。
これにより、受信データテーブルを記憶部に記憶させておくだけで、通信部は自動的に送信先を選択してデータを送信するので、送信作業の自動化を図ることができる。
【発明を実施するための最良の形態】
【００１３】
以下、図面を参照して、本発明である地震計及び地震計管理システムの最良の形態について詳細に説明する。
＜地震計及び地震計管理システムの構成＞
図１に示すように、地震計管理システム１００は、別個の地点に設置された複数（一つでもよい）の地震計１と、この地震計１が検出した振動データを通信回線Ｔを介して受信する複数（一つでもよい）の管理端末２と、を備えている。
地震計１は、地震振動を検出する振動検出部としての振動検出器１１と、振動検出器１１に接続されたＡ／Ｄ変換器１２と、Ａ／Ｄ変換器１２に接続されたデータ処理部としてのデータ処理装置１３と、データ処理装置１３に接続された通信部としての通信装置１４と、を備えている。ここで、地震等の振動により振動検出器１１で検出された加速度に基づく振動データはアナログの加速度信号としてＡ／Ｄ変換器１２に送信され、Ａ／Ｄ変換器１２にてデジタルの加速度信号に変換された後に、データ処理装置１３に送信される。
データ処理装置１３は、振動データの波形記録、震度計算等の処理を行うＣＰＵ１３１と、ＣＰＵ１３１に接続され、プログラムやデータが格納された記憶部としてのＲＯＭ１３２と、ＲＯＭ１３２に格納されたプログラムやデータが展開され、ＣＰＵ１３１の作業領域となるＲＡＭ１３３と、を備えている。
【００１４】
具体的に、ＲＯＭ１３２は、通信装置１４を介して管理端末２と通信接続を行うときに、複数のプロトコルのうち所望のプロトコルに切り替えるプロトコル切替プログラム１３２ａと、通信装置１４を介して管理端末２と通信接続を行うときに、複数の管理端末のうち、所望の管理端末に接続を切り替える接続切替プログラム１３２ｂと、管理端末２毎に各管理端末２が受信すべきデータを対応付けて記憶する受信データテーブル１３２ｃと、を有している。
ここで、具体的に、プロトコル切替プログラム１３２ａは、振動検出器１１が所定値以上の振動データを検出したときに、データ処理装置１３に処理された当該振動データに応じたプロトコルに切り替えるように構成されている。また、接続切替プログラム１３２ｂは、受信データテーブル１３２ｃに基づいて、送信すべきデータに応じた管理端末２に切り替えるように構成されている。
【００１５】
通信装置１４は、ルータ１５を介して通信回線Ｔに接続されており、振動データは通信回線Ｔを介して管理端末２に送信されるように構成されている。ここで、通信回線Ｔは、有線であっても無線であってもよく、例えば、電話回線、通信ケーブル等により構成されている。また、通信回線Ｔは、一般回線であってもよいし、専用回線であってもよい。
また、通信装置１４は、複数のプロトコルに対応可能に構成されており、例えば、図１に示すように、データ処理装置１３と通信装置１４との通信プロトコルは、ＴＣＰ／ＩＰ又はＵＤＰ／ＩＰのいずれかによって通信することができる。また、通信装置１４とルータ１５は、ＴＣＰ／ＩＰ又はＵＤＰ／ＩＰのいずれかによって通信することができる。また、ルータ１５と通信回線Ｔは、ＴＣＰ／ＩＰ又はＵＤＰ／ＩＰのいずれかによって通信することができる。
【００１６】
管理端末２は、例えば、システム管理者のサーバであり、通信回線Ｔに接続された通信装置２１と、この通信装置２１に接続されたデータ処理装置２２と、を備えている。
通信装置２１は、ルータ２３を介して通信回線Ｔに接続されており、振動データは通信回線Ｔを介して地震計１から受信できるように構成されている。
また、通信装置２１において、例えば、図１に示すように、管理端末２とルータ２３の通信プロトコルは、ＴＣＰ／ＩＰによって通信することができる。また、ルータ２３と通信回線Ｔは、ＴＣＰ／ＩＰによって通信することができる。
ここで、通信回線Ｔに管理端末２以外に他の地震計１ａが接続されている場合には、例えば、図１に示すように、他の地震計１ａとルータ２３の通信プロトコルは、ＵＤＰ／ＩＰによって通信することができる。また、ルータ２４と通信回線Ｔは、ＵＤＰ／ＩＰによって通信することができる。
なお、ＴＣＰ／ＩＰは、主に、地震計１のメンテナンスデータを通信する際に用いられ、ＵＤＰ／ＩＰは、主に、地震計１が検出した振動データを通信する際に用いられる。振動データをＵＤＰ／ＩＰで通信することとしたのは、地震等による振動データは、即座に管理端末２に送信する必要があるためである。
【００１７】
データ処理装置２２は、各種の処理を行うＣＰＵ２２１と、ＣＰＵ２２１に接続され、プログラムやデータが格納されたＲＯＭ２２２と、ＲＯＭ２２２に格納されたプログラムやデータが展開され、ＣＰＵ２２１の作業領域となるＲＡＭ２２３と、を備えている。
また、管理端末２は、ＧＰＳアンテナ（図示略）及びＧＰＳ受信機（図示略）を備えており、ＧＰＳ受信機は、ＣＰＵ２２１に接続されている。ＧＰＳ受信機は、ＧＰＳアンテナにて衛星から受信した時刻情報に基づいて時刻データを作成し、ＣＰＵ２２１に送信する。そして、ＣＰＵ２２１は、ＧＰＳ受信機から受信した時刻データと通信装置２１にて地震計１から受信した振動データとを対応づけて地震に関する時系列データを作成し、ＲＯＭ２２２に記憶させる。
また、ＲＯＭ２２２には、受信したデータの送信元を識別する識別ＩＤが記憶されている。すなわち、ＣＰＵ２２１が、データ受信時にＲＯＭ２２２に記憶された識別ＩＤと受信データの送信元の識別ＩＤとを比較し、ＲＯＭ２２２に一致する識別ＩＤがある場合に限り、送信元に返信する。
【００１８】
＜通信処理＞
次に、地震計管理システム１００におけるデータ通信処理について説明する。
ここでは、地震計１がデータを他の地震計１ａ及び管理端末２に送信する際の通信処理について説明する。
地震計１は、平常時はメンテナンスデータを管理端末２に送信している。このときの通信装置１４の通信プロトコルはＴＣＰ／ＩＰである。そして、地震が発生して、振動検出器１１が所定値以上の振動データを検出すると、地震計１は振動データを管理端末２に送信する必要が生じる。この際、ＣＰＵ１３１は、プロトコル切替プログラム１３２ａを実行することにより、通信装置１４のプロトコルをＴＣＰ／ＩＰからＵＤＰ／ＩＰに切り替える。また、ＣＰＵ１３１は、接続切替プログラム１３２ｂを実行することにより、ＲＯＭ１３２に記憶された受信データベース１３２ｃを読み出し、送信する振動データに応じて、振動データを送信する管理端末２を選択し、通信接続を切り替える。
【００１９】
図２に示すように、振動データは、ＵＤＰ／ＩＰのブロードキャスト送信とされ、受信側の他の地震計１ａは、ＲＯＭ１３２に記憶された応答先情報と一致するか否かを判断する。そして、受信した振動データの送信元の識別ＩＤ「ｘｘｘｘ」が記憶された応答先情報と一致するならばＢＣＣを計算し、正常であれば、他の地震計１ａの識別ＩＤ「ｙｙｙｙ」を付記したＡＣＫを送信元である地震計１の識別ＩＤ「ｘｘｘｘ」を指定して送信する。また、受信側の管理端末２は、ＲＯＭ２２２に記憶された応答先情報と一致するか否かを判断する。そして、受信した振動データの送信元の識別ＩＤ「ｘｘｘｘ」が記憶された応答先情報と一致するならばＢＣＣを計算し、正常であれば、管理端末２の識別ＩＤ「ｚｚｚｚ」を付記したＡＣＫを送信元である地震計１の識別ＩＤ「ｘｘｘｘ」を指定して送信する。
ここで、ＢＣＣ（block checking code）は、通信エラーを検出するためのものであり、受け取ったＢＣＣと受信側で計算したＢＣＣが異なっていれば、通信エラーが発生していることになり、再送手続き等が行われ、データを補完するようになっている。また、ＡＳＫ（acknowledge）は、肯定応答を意味し、送信側に対する肯定応答として受信側から送られるものである。
【００２０】
また、図３に示すように、地震計１は、データ送信後一定時間Ｔ１内に管理端末２からＮＡＫが返信されるか応答無しの場合、再度データを送信する。この再送信後、Ｔ２内に応答がない場合には、データの送信先から除外する。ただし、データ送信時にＡＣＫ応答が返信された場合には除外した送信先を再登録する。
ここで、ＮＡＫ（negative acknowledge）は、否定応答を意味し、送信側に対する否定的応答として受信側から送られるものである。
【００２１】
そして、振動データ送信後、地震計１は再度メンテンスデータを送信するため、ＣＰＵ１３１は、プロトコル切替プログラム１３２ａを実行することにより、通信装置１４のプロトコルをＵＤＰ／ＩＰからＴＣＰ／ＩＰに切り替える。また、ＣＰＵ１３１は、接続切替プログラム１３２ｂを実行することにより、ＲＯＭ１３２に記憶された受信データベース１３２ｃを読み出し、送信するメンテナンスデータに応じて、メンテナンスデータを送信する管理端末２を選択し、通信接続を切り替える。
これにより、振動データの送信後は、メンテナンスデータを管理端末２に送信することができるようになる。
【００２２】
＜実施形態の作用効果＞
以上ように、本発明に係る地震計１及び地震計管理システム１００によれば、振動検出器１１が地震振動を検出すると、データ処理装置１３は、振動検出器１１により検出された振動データを予めＲＯＭ１３２に記憶された設定プログラムに基づいて処理する。データ処理装置１３により処理された振動データは、通信装置１４を介して管理端末２に送信される。ここで、通信装置１４と管理端末２の通信接続の際に、ＣＰＵ１３１がプロトコル切替プログラム１３２ａを実行することにより、ＣＰＵ１３１は、通信装置１４が通信に用いる複数のプロトコルのうち、所望のプロトコルに切り替える。
これにより、データ通信に際し、複数のプロトコルが必要な場合であっても、ＣＰＵ１３１がプロトコル切替プログラム１３２ａを実行することにより、通信装置１４による通信に際して、適宜通信に必要なプロトコルに切り替えることができるので、一つの通信装置１４で複数のプロトコルを切り替えて通信することができ、プロトコル毎に通信装置１４を設ける必要がなくなる。よって、地震計１の小型化、通信速度の向上を図ることができる。
【００２３】
また、大きな地震が発生したときのように、振動検出器１１が所定値以上の振動データを検出した場合には、ＣＰＵ１３１がプロトコル切替プログラム１３２ａを実行することにより、振動データに応じたプロトコルに切り替えられるので、通信装置１４が他のデータを送信している場合であっても所定値以上の振動データを優先的に送信することができる。
【００２４】
また、ＣＰＵ１３１が接続切替プログラム１３２ｂを実行することにより、通信装置１４を介して管理端末２と通信接続を行うときに、複数の管理端末２のうち、所望の管理端末２に接続を切り替える。
これにより、複数の管理端末２とデータ通信を行う必要があっても、一つの通信装置１４で複数の送信先を切り替えて通信することができ、管理端末２毎に通信装置１４を設ける必要がなくなる。よって、地震計１の小型化を図ることができる。
【００２５】
また、ＣＰＵ１３１が接続切替プログラム１３２ｂを実行することにより、管理端末２毎に各管理端末２が受信すべきデータを対応付けて記憶する受信データテーブル１３２ｃに基づいて、送信すべきデータに応じた管理端末２に切り替える。
これにより、受信データテーブル１３２ｃをＲＯＭ１３２に記憶させておくだけで、通信装置１４は自動的に送信先を選択してデータを送信するので、送信作業の自動化を図ることができる。
【００２６】
なお、本発明は、上記実施の形態に限定されるものではない。例えば、管理端末は、システム管理者のサーバである必要はなく、クライアントであってもよいし、他の地震計であってもよい。その他、本発明は、発明の本質を逸脱しない範囲内で自由に変更、改良が可能である。
【図面の簡単な説明】
【００２７】
【図１】本発明に係る地震計管理システムの概略構成ブロック図である。
【図２】データの通信処理を示すタイミングチャートである。
【図３】データの通信処理を示すタイミングチャートである。
【符号の説明】
【００２８】
１１  振動検出器（振動検出部）
１３  データ処理装置（データ処理部）
１３１  ＣＰＵ（プロトコル切替手段、接続切替手段）
１３２  ＲＯＭ（記憶部）
１３２ａ  プロトコル切替プログラム（プロトコル切替手段）
１３２ｂ  接続切替プログラム（接続切替手段）
１３２ｃ  受信データテーブル
１４  通信装置（通信部）
２  管理端末
【図１】
2005351844.tif 000003
【図２】
2005351844.tif 000004
【図３】
2005351844.tif 000005